(57)【要約】【課題】  簡単な構成により、容易に運搬できるようにした薄型テレビジョンおよび薄型表示装置を提供することを目的とする。【解決手段】  、画像情報を表示する薄型表示部２と、この薄型表示部２を支持するスタンド本体４とを備えた薄型表示装置１において、スタンド本体４は、薄型表示部２を支持する支柱５１を有する支柱台部５と、この支柱台部５に設けられた支持軸６と、この支持軸６に回転可能に取り付けられた一対の載置台部７ａ、７ｂとを備え、一対の載置台部７ａ、７ｂには、把手部８が形成されており、一対の載置台部７ａ、７ｂを略水平に広げた状態にあるときには、薄型表示部２を略直立状態に支持し、一対の載置台部７ａ、７ｂを略垂直に閉じた状態にあるときには、把手部８を持って当該薄型表示装置１を運搬できるように構成する。【選択図】図１
2008182504.tif 000002
【特許請求の範囲】
【請求項１】
画像情報を表示する薄型表示部と、この薄型表示部を支持するスタンド本体とを備えた薄型テレビジョンにおいて、
前記スタンド本体は、前記薄型表示部を支持する支柱を有する支柱台部と、この支柱台部に設けられた支持軸と、この支持軸に回転可能に取り付けられた一対の載置台部とを備え、前記一対の載置台部には、把手部が形成されており、前記一対の載置台部を略水平に広げた状態にあるときには、前記薄型表示部を略直立状態に支持し、前記一対の載置台部を略垂直に閉じた状態にあるときには、一方の載置台部によって、他方の載置台部を覆うように囲繞し、この状態で前記把手部を持って当該薄型テレビジョンを運搬できるように構成したことを特徴とする薄型テレビジョン。
【請求項２】
画像情報を表示する薄型表示部と、この薄型表示部を支持するスタンド本体とを備えた薄型表示装置において、
前記スタンド本体は、前記薄型表示部を支持する支柱を有する支柱台部と、この支柱台部に設けられた支持軸と、この支持軸に回転可能に取り付けられた一対の載置台部とを備え、前記一対の載置台部には、把手部が形成されており、前記一対の載置台部を略水平に広げた状態にあるときには、前記薄型表示部を略直立状態に支持し、前記一対の載置台部を略垂直に閉じた状態にあるときには、前記把手部を持って当該薄型表示装置を運搬できるように構成したことを特徴とする薄型表示装置。
【請求項３】
前記一対の載置台部を略垂直に閉じた状態にあるときには、一方の載置台部によって、他方の載置台部を覆うように囲繞し、この状態で前記把手部を持って運搬できるように構成したことを特徴とする請求項２に記載の薄型表示装置。
【請求項４】
前記一方の載置台部によって覆うように囲繞される載置台部は、前記薄型表示部の前面側に配設されることを特徴とする請求項３に記載の薄型表示装置。
【請求項５】
前記一対の載置台部は、載置面と、天板を有し、前記天板は、前記支持軸から遠ざかる方向に傾斜するように形成されていることを特徴とする請求項２乃至請求項４に記載の薄型表示装置。
【請求項６】
前記一対の載置台部には、前記支軸を中心に、前記一対の載置台部を略水平に広げた状態にあるときに、この状態略水平状態を維持するロック手段が付設されていることを特徴とする請求項２乃至請求項５に記載の薄型表示装置。
【請求項７】
前記支持軸は、１本で構成され、前記一対の載置台部がそれぞれ、前記支持軸に噛合うような状態で軸支されていることを特徴とする請求項２乃至請求項６に記載の薄型表示装置。
【発明の詳細な説明】
【技術分野】
【０００１】
本発明は、例えば、液晶ディスプレやプラズマディスプレなどからなる薄型表示部（フラットディスプレ）を備えた薄型テレビジョンおよび薄型表示装置に関し、特に、簡単な構成により、この種薄型テレビジョンおよび薄型表示装置を容易に運搬できるようにしたものである。
【背景技術】
【０００２】
近年、液晶ディスプレやプラズマディスプレなどの薄型化が進み、低価格化および軽量化に伴って、従来のＣＲＴに代わって薄型表示部を備えた薄型テレビジョンおよび薄型表示装置が急速に普及しつつある。そして、この種薄型テレビジョンおよび薄型表示装置の軽量化に伴って、ユーザの使用形態も変わり、従来のＣＲＴ型の装置のように、特定の場所に据え置くタイプに加え、必要に応じて気軽に据付場所を変えて使用する傾向にあり、この種装置を簡単に持ち運びできることが要望されるようになった。
【０００３】
このような要望を満たすため、従来では、例えば、スタンドをヒンジ部により回転可能に表示部の背面に設け、スライド手段によりヒンジ部をスライド可能に形成するとともに、スタンドをケーシングの背面に固定する嵌合部を設けるようにしたものがある(例えば、特許文献１参照）。
【０００４】
また、スタンド本体に、前方載置台と後方載置台に第１のリンク部材がそれぞれ対向するように取り付け、これら第１のリンク部材を回転可能に連結ピンで連結し、後方載置台に第２のリンク部材を取り付け、連結部材を介して角度調整部材の後方載置台の側を上下させることにより、回転支持部材を移動させて、薄型ディスプレを所定の角度に自動的に支持するようにしたものがある(例えば、特許文献２参照）。また、ディスプレを覆うカバーを本体に回転可能に接続し、カバーのトップ部に手提げを設けたものがある(例えば、特許文献３参照）。
【特許文献１】特開２００６−３０１２１１号公報
【特許文献１】特開２０００−５６６９５号公報
【特許文献１】実用新案登録第３１０９４０３号公報
【発明の開示】
【発明が解決しようとする課題】
【０００５】
しかし、前述の特許文献１記載の構成では、ヒンジ部の他にスライド手段や嵌合部などが必要となり、その構成が複雑であるとともに、部品点数が増加するなどといった問題があった。また、特許文献２記載の構成では、複数のリンク部材や連結ピン、更には、角度調整部材などが必要となり、その構成が複雑であるとともに、部品点数が増加する。しかも、前方載置台と後方載置台を折り畳むことはできるが、この種装置を持ち運ぶための考慮が一切なされていない。更に、特許文献３記載の構成では、カバーがディスプレを覆う構成であるため、カバーが大きくなり、従って、使用時に占有する面積が大きくなるなどといった問題があった。
【０００６】
本発明は、上述した問題を解決するためになされたものであり、簡単な構成により、容易に運搬できるようにした薄型テレビジョンおよび薄型表示装置を提供することを目的とする。
【課題を解決するための手段】
【０００７】
かかる目的を達成するため、本発明では、画像情報を表示する薄型表示部と、この薄型表示部を支持するスタンド本体とを備えた薄型テレビジョンにおいて、スタンド本体は、薄型表示部を支持する支柱を有する支柱台部と、この支柱台部に設けられた支持軸と、この支持軸に回転可能に取り付けられた一対の載置台部とを備え、一対の載置台部には、把手部が形成されており、一対の載置台部を略水平に広げた状態にあるときには、薄型表示部を略直立状態に支持し、一対の載置台部を略垂直に閉じた状態にあるときには、一方の載置台部によって、他方の載置台部を覆うように囲繞し、この状態で把手部を持って当該薄型テレビジョンを運搬できるように構成する。
【０００８】
この構成によれば、この種装置を据え付けている状態では、一対の載置台部を略水平に広げることにより、薄型表示部を略直立した状態に維持することができる。しかも、据付場所を変えるために運搬する場合には、支持軸を中心に、一対の載置台部が向かい合うように略垂直に閉じ、一対の載置台部に形成された把手部をもって、簡単に持ち運ぶことができる。しかも、一対の載置台部は、略垂直に閉じた状態にあるときには、一方の載置台部によって、他方の載置台部を覆うように囲繞されているので、把手部は、薄くなり、極めて握り易く、長時間の運搬にも疲労が少なく、都合がよい。更には、その構成は、一対の載置台部を支持軸に回転可能に装着するとともに、一対の載置台部に把手部を形成すれば良く、極めて簡単であり、部品点数も増加することなく、この種装置のコストの低減を図ることができる。
【０００９】
また、本発明においては、画像情報を表示する薄型表示部と、この薄型表示部を支持するスタンド本体とを備えた薄型表示装置において、スタンド本体は、薄型表示部を支持する支柱を有する支柱台部と、この支柱台部に設けられた支持軸と、この支持軸に回転可能に取り付けられた一対の載置台部とを備え、一対の載置台部には、把手部が形成されており、一対の載置台部を略水平に広げた状態にあるときには、薄型表示部を略直立状態に支持し、一対の載置台部を略垂直に閉じた状態にあるときには、把手部を持って当該薄型表示装置を運搬できるように構成する。
【００１０】
この構成によれば、この種装置を据え付けている状態では、一対の載置台部を略水平に広げることにより、薄型表示部を略直立した状態に維持することができる。しかも、据付場所を変えるために運搬する場合には、支持軸を中心に、一対の載置台部が向かい合うように略垂直に閉じ、一対の載置台部に形成された把手部をもって、簡単に持ち運ぶことができる。しかも、その構成は、一対の載置台部を支持軸に回転可能に装着するとともに、一対の載置台部に把手部を形成すれば良く、極めて簡単であり、部品点数も増加することなく、この種装置のコストの低減を図ることができる。
【００１１】
また、本発明においては、一対の載置台部を略垂直に閉じた状態にあるときには、一方の載置台部によって、他方の載置台部を覆うように囲繞し、この状態で前記把手部を持って運搬できるように構成する。この構成によれば、一対の載置台部は、略垂直に閉じた状態にあるときには、一方の載置台部によって、他方の載置台部を覆うように囲繞されているので、把手部は、薄くなり、極めて握り易く、長時間の運搬にも疲労が少なく、都合がよい。
【００１２】
また、本発明においては、一方の載置台部によって覆うように囲繞される載置台部は、薄型表示部の前面側に配設する。この構成によれば、薄型表示部の重心がある背面側に配設される載置台部は、前面側に配設される載置台部に比べて大きいので、極めて安定した状態で、薄型表示部を略直立した状態に維持することができる。しかも、前面側に配設される載置台部は、背面側に配設される載置台部に比べて小さいので、据え付け状態における威圧感がなくなり、美感上好ましい。
【００１３】
また、本発明においては、一対の載置台部は、載置面と、天板を有し、天板は、支持軸から遠ざかる方向に傾斜するように形成する。この構成によれば、一対の載置台部は、支持軸から遠ざかる方向に傾斜しているので、略垂直に閉じた状態にあるときには、把手部は、薄くなり、極めて握り易く、長時間の運搬にも疲労が少なく、都合がよい。
【００１４】
また、本発明においては、一対の載置台部には、支軸を中心に、一対の載置台部を略水平に広げた状態にあるときに、この状態略水平状態を維持するロック手段を付設する。この構成によれば、この種装置を据え付けた状態にあるとき、一対の載置台部は、ロック手段により、状態略水平状態を維持することができので、都合がよい。
【００１５】
更に、本発明においては、支持軸は、１本で構成され、一対の載置台部がそれぞれ、支持軸に噛合うような状態で軸支する。この構成によれば、支持軸を１本にすることができるので、より部品点数の削減を図ることができ、都合がよい。
【発明の効果】
【００１６】
本発明によれば、簡単な構成により、容易に運搬できるようにした薄型テレビジョンおよび薄型表示装置を得ることができる。
【発明を実施するための最良の形態】
【００１７】
（第１実施形態）
以下、本発明の第１実施形態を図１乃至図６に基づいて説明する。図１は、本発明の一実施形態に係る薄型表示装置の一例である薄型テレビジョンの概略構成を示す正面図、図２は、図１に薄型テレビジョンの側面図である。図３は、図１に薄型テレビジョンを持ち運ぶための状態を示す側面図である。図４は、図２の要部を拡大して示す一部断面図、図５は、図３の要部を拡大して示す一部断面図である。図６は、載置台部の一例を示す要部正面図である。
【００１８】
図１に示すように、薄型テレビジョン１は、例えば、薄型表示部である液晶ディスプレ２と、厚みの薄い略矩形状の本体ケース３と、液晶ディスプレ２を支持するスタンド本体４とを備えている。液晶ディスプレ２は、本体ケース３に収納された状態で、スタンド本体４により略鉛直に正立され、その正面側の本体ケース３の矩形状の開口３１に、液晶ディスプレ２の表示面である液晶パネル２１が嵌め込まれ、この液晶パネル３１において映像などを表示することが可能となっている。
【００１９】
かかる構成により、使用者は、例えば、本体ケース３に設けられた図示しない操作部を操作し、所望のチャンネルに合わせることにより、液晶ディスプレ２の液晶パネル３１に表示される画像を観ることができる。
【００２０】
而して、本発明に従い、図１乃至図６に示すように、スタンド本体４は、薄型表示部である液晶ディスプレ２を支持する支柱５１を有する支柱台部５と、この支柱台部５に設けられた支持軸６と、この支持軸６に回転可能に取り付けられた一対の載置台部７ａ、７ｂとを備えている。支柱台部５は、例えば、扁平状の支柱５１を支持する断面がコ字状の台座５２から形成されている。台座５２には、台座５２の両片５２ａ、５２ｂを跨ぐように、図示する例では、２本の支持軸６が貫通孔５５を貫通するように装着されている。これら支持軸６のそれぞれに、一対の載置台部７ａ、７ｂが、支持軸６を中心として、回転可能に装着されている。また、一対の載置台部７ａ、７ｂには、図６に示すように、手が入る程度の貫通孔を設けて把手部８が形成されている。
【００２１】
以上の構成により、薄型テレビジョン１を据え付ける際には、一対の載置台部７ａ、７ｂを略水平に広げた状態（図１、図２および図４参照）にする。この状態で、液晶ディスプレ２は、スタンド本体４により、略直立状態に支持されている。従って、使用者は、所定の操作部を行うことにより、液晶ディスプレ２の液晶パネル３１に表示される画像を観ることができる。なお、この水平の状態を維持するために、図示しないが、例えば、台座５２にストッパーなどを設けてもよいのは、勿論である。
【００２２】
そして、薄型テレビジョン１の据え付け場所を変更するなどの理由で持ち運ぶ際には、一対の載置台部７ａ、７ｂが相対向して重なるように、略垂直に閉じた状態（図３および図５参照）にする。その後、把手部８に手を入れ、所望の据え付け場所まで運搬する。
【００２３】
以上の構成による本実施形態では、薄型テレビジョン１を据え付けている状態では、一対の載置台部７ａ、７ｂを略水平に広げることにより、液晶ディスプレ２を略直立した状態に維持することができる。しかも、据付場所を変えるために運搬する場合には、支持軸６を中心に、一対の載置台部７ａ、７ｂが向かい合うように略垂直に閉じ、一対の載置台７ａ、７ｂ部に形成された把手部８をもって、簡単に持ち運ぶことができる。しかも、その構成は、一対の載置台部７ａ、７ｂを支持軸６に回転可能に装着するとともに、一対の載置台部７ａ、７ｂに把手部８を形成すれば良く、極めて簡単であり、部品点数も増加することなく、この種装置のコストの低減を図ることができる。
【００２４】
（第２実施形態）
次に、本発明の第２実施形態について図７乃至図９を参照しながら説明する。図７は、本発明の第２実施形態に係るスタンド本体の載置台部の概略構成を示す平面図、図８は、一対の載置台部を略水平に広げた状態を示す側面図、図９は、一対の載置台部を略垂直に閉じた状態を示す側面図である。なお、図７乃至図９において、上述した図１乃至図６と同じ符号を付した部分は、略同一のものを示すため、ここでは詳細な説明は省略する。以下、上述した第１実施形態との相違点を中心に説明する。
【００２５】
本実施形態では、図７に示すように、液晶ディスプレ２の液晶パネル３１の背面側に配設される一方の載置台部７ｂは、前面側である液晶パネル３１側に配設される他方（前面側）の載置台部７ａより大きく形成され、一対の載置台部７ａ、７ｂを、略垂直に閉じた状態にあるときには、図９に示すように、背面側の載置台部７ｂによって、前面側の載置台部７ａを覆うように囲繞するように構成されている。また、一対の載置台部７ａ、７ｂは、１本の支持軸６に噛合うような状態で軸支されている。また、支柱５１は、パイプ状のものが用いられ、フランジ５３を介して台座５２に装着されている。
【００２６】
以上の構成による本実施形態よれば、上述した第１実施形態と同様の作用効果を奏する他、一対の載置台部７ａ、７ｂは、略垂直に閉じた状態にあるときには、一方の載置台部７ｂによって、他方の載置台部７ａを覆うように囲繞されているので、把手部８は、薄くなり、極めて握り易く、長時間の運搬にも疲労が少なく、都合がよい。
【００２７】
また、本実施形態によれば、液晶ディスプレ２の重心がある背面側に配設される載置台部７ｂは、前面側に配設される載置台部７ａに比べて大きいので、極めて安定した状態で、液晶ディスプレ２を略直立した状態に維持することができる。しかも、前面側に配設される載置台部７ａは、背面側に配設される載置台部７ｂに比べて小さいので、据え付け状態における威圧感がなくなり、美感上好ましい。
【００２８】
また、本実施形態によれば、支持軸６を１本にすることができるので、より部品点数の削減を図ることができ、都合がよい。
【００２９】
（第３実施形態）
次に、本発明の第３実施形態について図１０乃至図１３を参照しながら説明する。図１０は、本発明の第３実施形態に係るスタンド本体の概略構成を示す一部断面側面図、図１１は、一対の載置台部を略垂直に閉じた状態を示す側面図である。図１２は、台座と支柱との関係を示す斜視図である。図１３は、ロック手段の一例を示す要部拡大図である。なお、図１０乃至図１３において、上述した図１乃至図９と同じ符号を付した部分は、略同一のものを示すため、ここでは詳細な説明は省略する。以下、上述した各実施形態との相違点を中心に説明する。
【００３０】
本実施形態では、図１０に示すように、一対の載置台部７ａ、７ｂは、載置面７１ａ、７１ｂと、天板７２ａ、７２ｂと、側板７３ａ、７３ｂとから形成されている。天板７２ａ、７２ｂは、支持軸６から遠ざかる方向に傾斜するように形成されている。また、一対の載置台部７ａ、７ｂの側板７３ａ、７３ｂには、支軸６を中心にして、一対の載置台部７ａ、７ｂを略水平に広げた状態にあるときに、この略水平状態を維持するロック手段９が付設されている。このロック手段９は、例えば、図１３に示すように、側板７３ａに軸９２により、回動可能に装着された、フック状の係止片９１と、側板７３ｂに形成され、係止片９１の係止部９１ａが係止される係止ピン９３とから形成されている。また、支柱５１は、第１実施形態と同様、扁平状のものが用いられ、台座５２側の端部を前後に折り曲げられて結合部５１ａ、５１ｂが形成されている。そして、結合部５１ａ、５１ｂは、台座５２に図示しないビスや溶接或いは接着などの結合手段により装着されている。
【００３１】
以上の構成による本実施形態よれば、上述した第１実施形態および第２実施形態と同様の作用効果を奏する他、一対の載置台部７ａ、７ｂは、略垂直に閉じた状態にあるときには、一方の載置台部７ｂによって、他方の載置台部７ａを覆うように囲繞されている。しかも、一対の載置台部７ａ、７ｂは、支持軸６から遠ざかる方向に傾斜しているので、略垂直に閉じた状態にあるときには、把手部８は、薄くなり、極めて握り易く、長時間の運搬にも疲労が少なく、都合がよい。
【００３２】
また、本実施形態によれば、一対の載置台部７ａ、７ｂを略水平に広げた状態にあるときは、この略水平状態を維持するロック手段９により、略水平状態を維持することができので、都合がよい。
【００３３】
なお、上述した各実施形態は、本発明の好適な実施例であるが、本発明はこれに限定されるものではなく、本発明の要旨を逸脱しない範囲において、種々変形実施可能である。
【００３４】
例えば、上述した各実施形態では、薄型表示部として液晶ディスプレについて詳述したが、プラズマディスプレなど他の薄型表示機能を備えたものに本発明を適用してもよいのは、勿論である。また、同様に薄型表示装置として薄型テレビジョンについて詳述したが、パソコン用など、他の薄型表示装置に本発明を適用してもよいのは、勿論である。
【図面の簡単な説明】
【００３５】
【図１】本発明の一実施形態に係る薄型表示装置の一例である薄型テレビジョンの概略構成を示す正面図である。
【図２】図１に薄型テレビジョンの側面図である。
【図３】図１に薄型テレビジョンを持ち運ぶための状態を示す側面図である。
【図４】図２の要部を拡大して示す一部断面図である。
【図５】図３の要部を拡大して示す一部断面図である。
【図６】載置台部の一例を示す要部正面図である。
【図７】本発明の第２実施形態に係るスタンド本体の載置台部の概略構成を示す平面図である。
【図８】一対の載置台部を略水平に広げた状態を示す側面図である。
【図９】一対の載置台部を略垂直に閉じた状態を示す側面図である。
【図１０】本発明の第３実施形態に係るスタンド本体の概略構成を示す一部断面側面図である。
【図１１】一対の載置台部を略垂直に閉じた状態を示す側面図である。
【図１２】台座と支柱との関係を示す斜視図である。
【図１３】ロック手段の一例を示す要部拡大図である。
【符号の説明】
【００３６】
１      薄型表示装置（薄型テレビジョン）
２      薄型表示部（液晶ディスプレ）
４      スタンド本体
５      支持台部
５１    支柱
６      支持軸
７ａ    載置台部（他方の載置台部：前面側）
７ｂ    載置台部（一方の載置台部：背面側）
７１ａ  載置面
７１ｂ  載置面
７２ａ  天板
７２ｂ  天板
８      把持部
９      ロック手段
【図１】
2008182504.tif 000003
【図２】
2008182504.tif 000004
【図３】
2008182504.tif 000005
【図４】
2008182504.tif 000006
【図５】
2008182504.tif 000007
【図６】
2008182504.tif 000008
【図７】
2008182504.tif 000009
【図８】
2008182504.tif 000010
【図９】
2008182504.tif 000011
【図１０】
2008182504.tif 000012
【図１１】
2008182504.tif 000013
【図１２】
2008182504.tif 000014
【図１３】
2008182504.tif 000015